(57)【特許請求の範囲】
【請求項１】
排気通路内の排気空燃比がリーン空燃比のときには排気中の硫黄成分を吸蔵し、排気空燃比がストイキ空燃比及びリッチ空燃比のときには吸蔵した硫黄成分を放出する触媒が設けられた内燃機関に適用される内燃機関の燃焼制御装置において、
アイドル運転状態且つパージガスの流量が所定量よりも大きく且つ触媒の温度が所定値より大きいときにはリーン燃焼運転を行い、
アイドル運転状態且つパージガスの流量が前記所定量よりも大きく且つ触媒の温度が前記所定値よりも小さいときにはストイキ燃焼運転を行う
ことを特徴とする内燃機関の燃焼制御装置。
【請求項２】
排気通路内の排気空燃比がリーン空燃比のときには排気中の硫黄成分を吸蔵し、排気空燃比がストイキ空燃比及びリッチ空燃比のときには吸蔵した硫黄成分を放出する触媒が設けられた内燃機関に適用される内燃機関の燃焼制御装置において、
アイドル運転状態且つパージガスの流量が所定量よりも大きいときの空燃比の制御中心がリーン空燃比であり、前記制御中心がストイキ空燃比の近傍であり、前記制御中心がアイドル運転状態且つパージガスの流量が前記所定量よりも小さいときの制御中心と比較してストイキ空燃比に近い
ことを特徴とする内燃機関の制御装置。
【請求項３】
請求項２に記載の内燃機関の燃焼制御装置において、
アイドル運転状態且つパージガスの流量が所定量よりも大きく且つ触媒の温度が所定値より小さいときには空燃比の制御中心がストイキ空燃比に維持され、
アイドル運転状態且つパージガスの流量が所定量よりも大きく且つ触媒の温度が所定値よりも大きいとき、空燃比の制御中心がリーン空燃比であり、前記制御中心がストイキ空燃比の近傍であり、前記制御中心がアイドル運転状態且つパージガスの流量が前記所定量よりも小さいときの制御中心と比較してストイキ空燃比に近い
ことを特徴とする内燃機関の燃焼制御装置。
【請求項４】
請求項１〜３のいずれか一項に記載の内燃機関の燃焼制御装置において、
前記内燃機関は、筒内に直接燃料を噴射する筒内噴射式内燃機関であり、
アイドル運転状態且つリーン燃焼運転が実行されるに際し、燃料噴射時期が圧縮行程に設定される
ことを特徴とする内燃機関の燃焼制御装置。
【発明の詳細な説明】
【０００１】
【発明の属する技術分野】
本発明は、排気空燃比がリーン空燃比であるときには排気中の硫黄成分を吸蔵し、排気空燃比がストイキ空燃比以上であるときには吸蔵した硫黄成分を放出する触媒が排気通路内に設けられた内燃機関の燃焼制御装置に関する。
【０００２】
【従来の技術】
内燃機関の燃焼に用いられる燃料中には硫黄成分が含まれており、ＮＯｘ（窒素酸化物）吸蔵還元型触媒のように、排気空燃比がリーン空燃比であるときには排気中の硫黄成分を吸蔵し、排気空燃比がストイキ空燃比であるときには吸蔵した硫黄成分を放出する触媒においては、硫黄被毒による浄化性能の悪化を招く。
そのため、触媒内に吸蔵された硫黄成分を放出するために、例えば、触媒内に吸蔵された硫黄成分が所定量に達したと推定されたときには排気空燃比をリッチ空燃比にする、いわゆる硫黄被毒回復処理を行うことが知られている。また、このように硫黄成分を放出する際に、硫化水素が生成し、触媒臭が発生する。
【０００３】
そこで、特開２０００−１５３１３２においては、上述した硫黄被毒回復処理中に、断続的にリーン燃焼運転を実施することにより、排気通路の後流に設けられた三元触媒により硫化水素を酸化し、以て、硫化水素の放出を抑制することが提案されている。
【０００４】
【発明が解決しようとする課題】
ところで、リーン燃焼運転中において、燃料タンク等の燃料供給系で発生する燃料蒸気を吸気系に排出するためのパージ処理等に基づいてストイキ運転要求がなされることがある。こうした場合、燃焼形態がリーン燃焼運転からストイキ燃焼運転に切り替えられるが、このときにも触媒に吸蔵された硫黄成分が放出される際に硫化水素が生成され、触媒臭が発生する。
【０００５】
しかしながら、上記提案のものにあっては、こうした場合に対処するものではなく、ストイキ運転要求がなされた際の触媒臭の発生を招くという問題があった。
【０００６】
本発明は、こうした実情に鑑みてなされたものであって、その目的は、ストイキ運転要求を満たしながら、触媒臭の発生を抑制することができる内燃機関の燃焼制御装置を提供することにある。
【０００７】
【課題を解決するための手段】
以下、上記目的を達成するための手段及びその作用効果について記載する。
請求項１に記載の発明は、排気通路内の排気空燃比がリーン空燃比のときには排気中の硫黄成分を吸蔵し、排気空燃比がストイキ空燃比及びリッチ空燃比のときには吸蔵した硫黄成分を放出する触媒が設けられた内燃機関に適用される内燃機関の燃焼制御装置において、アイドル運転状態且つパージガスの流量が所定量よりも大きく且つ触媒の温度が所定値より大きいときにはリーン燃焼運転を行い、アイドル運転状態且つパージガスの流量が前記所定量よりも大きく且つ触媒の温度が前記所定値よりも小さいときにはストイキ燃焼運転を行うことを要旨としている。
【０００８】
この発明によれば、パージガスの流量が所定量以上であることに基づくストイキ運転要求を満たしながら、触媒に吸蔵された硫黄成分の放出を抑えて硫化水素の生成を抑制することができ、触媒臭の発生を抑制することができる。
請求項２に記載の発明は、排気通路内の排気空燃比がリーン空燃比のときには排気中の硫黄成分を吸蔵し、排気空燃比がストイキ空燃比及びリッチ空燃比のときには吸蔵した硫黄成分を放出する触媒が設けられた内燃機関に適用される内燃機関の燃焼制御装置において、アイドル運転状態且つパージガスの流量が所定量よりも大きいときの空燃比の制御中心がリーン空燃比であり、前記制御中心がストイキ空燃比の近傍であり、前記制御中心がアイドル運転状態且つパージガスの流量が前記所定量よりも小さいときの制御中心と比較してストイキ空燃比に近いことを要旨としている。
この発明によれば、触媒臭が問題となるアイドル運転状態において、アイドル運転状態且つ前記ストイキ運転要求があるときには、空燃比が前記ストイキ運転要求がないときよりもストイキ空燃比に近く且つ前記ストイキ空燃比近傍にあるリーン空燃比に維持される。そのため、ストイキ運転要求を満たしながら、触媒に吸蔵された硫黄成分の放出を抑えて硫化水素の生成を抑制することができ、触媒臭の発生を抑制することができる。
【０００９】
請求項３に記載の発明は、請求項２に記載の内燃機関の燃焼制御装置において、アイドル運転状態且つパージガスの流量が所定量よりも大きく且つ触媒の温度が所定値より小さいときには空燃比の制御中心がストイキ空燃比に維持され、アイドル運転状態且つパージガスの流量が所定量よりも大きく且つ触媒の温度が所定値よりも大きいとき、空燃比の制御中心がリーン空燃比であり、前記制御中心がストイキ空燃比の近傍であり、前記制御中心がアイドル運転状態且つパージガスの流量が前記所定量よりも小さいときの制御中心と比較してストイキ空燃比に近いことを要旨としている。
請求項４に記載の発明は、請求項１〜３のいずれか一項に記載の内燃機関の燃焼制御装置において、前記内燃機関は、筒内に直接燃料を噴射する筒内噴射式内燃機関であり、前記アイドル運転状態且つリーン燃焼運転が実行されるに際し、燃料噴射時期が圧縮行程に設定されることを特徴とする。
【００１０】
この発明によれば、内燃機関は筒内に直接燃料を噴射する筒内噴射式内燃機関である。リーン燃焼運転が実行されると燃料量が不足して燃焼状態が悪化することになるが、筒内噴射式内燃機関では燃料噴射時期を圧縮行程に設定することにより点火プラグ周りの空燃比を濃くすることができ、燃焼状態の悪化を抑制することができる。
【００１３】
【発明の実施の形態】
以下、本発明を具体化した一実施形態を図１〜図３に従って説明する。
図１は本実施形態にかかる燃焼制御装置及び同装置が適用される車両用エンジン１０の概略構成を示している。
【００１４】
同図１に示されるように、エンジン１０には、その燃焼室１１に燃料を直接噴射するインジェクタ１２と、この噴射された燃料の点火を行う点火プラグ１３とがそれぞれ設けられている。また、燃焼室１１には、吸気系の一部を構成する吸気管１４及び排気系の一部を構成する排気管１５がそれぞれ接続されている。この吸気管１４の途中には、サージタンク１６が設けられており、更にその上流側には、吸入空気量を調節するスロットル弁１７が設けられている。このスロットル弁１７の開度は、自動車の室内に設けられたアクセルペダル１８の踏込操作に応じて調整される。なお、上記アクセルペダル１８の踏み込み量はアクセルポジションセンサ１９によって検出される。アクセルペダル１８には、このアクセルペダル１８の踏み込みが行われていないことを検出するアイドルスイッチ２０が設けられている。
【００１５】
インジェクタ１２は、デリバリパイプ２５を介して、エンジン１０の近傍に設けられた高圧ポンプ２４に接続されている。燃料タンク２１内の燃料は、低圧ポンプ２２から燃料供給通路２３を通じて高圧ポンプ２４に供給される。更に、燃料は、高圧ポンプ２４によって高圧に加圧された後、デリバリパイプ２５に圧送され、同デリバリパイプ２５からインジェクタ１２に供給される。また、低圧ポンプ２２から高圧ポンプ２４に供給される燃料のうち、デリバリパイプ２５に圧送されない余剰の燃料は、燃料リターン通路２６を通じて燃料タンク２１に戻される。
【００１６】
これら燃料タンク２１、各ポンプ２２，２４、燃料供給通路２３、燃料リターン通路２６、デリバリパイプ２５、及びインジェクタ１２により、エンジン１０に燃料を供給するための燃料供給系が構成されている。
【００１７】
また、このエンジンシステムには、燃料供給系で発生する蒸発燃料を捕集して大気中に放出することなくこれを処理する蒸発燃料処理機構３０や、ＥＧＲ機構（図示略）が設けられている。
【００１８】
ＥＧＲ機構は、周知のように、排気管１５を流れる排気の一部をＥＧＲ通路（図示略）を通じて吸気管１４（サージタンク１６）に戻すことにより、燃焼温度を低下させて排気中に含まれるＮＯｘ（窒素酸化物）の低減を図るための機構である。
【００１９】
蒸発燃料処理機構３０は、蒸発燃料を吸着する吸着材が設けられたキャニスタ３１を備えている。キャニスタ３１には、燃料タンク２１に繋がるベーパ通路３２と、サージタンク１６に繋がるパージ通路３３とが接続されるとともに、同キャニスタ３１に大気を導入するための大気導入通路３４とが接続されている。また、上記パージ通路３３の途中には、同通路３３を開閉するパージ制御弁３５が設けられている。
【００２０】
燃料供給系に発生する蒸発燃料は、燃料タンク２１からベーパ通路３２を通じてキャニスタ３１内に導入され、その内部に設けられた吸着材によって一旦吸着される。パージ制御弁３５が開かれると、キャニスタ３１内には大気導入通路３４を通じて大気が導入されるようになる。従って、キャニスタ３１に吸着されている燃料は、この大気とともにベーパ通路３２を通じてサージタンク１６内にパージガスとして排出される（パージされる）。このパージガスに含まれる蒸発燃料は、インジェクタ１２から噴射される燃料とともに、燃焼室１１において燃焼される。また、このようにして吸気系にパージされるパージガスの流量は、パージ制御弁３５の開度に基づいて調節される。
【００２１】
更に、排気管１５には三元触媒３６が設けられ、さらにその下流側にはＮＯｘ吸蔵還元型触媒３７が設けられている。燃焼室１１から排気管１５に排出される排出ガスはこれら各触媒３６，３７によって浄化される。ＮＯｘ吸蔵還元型触媒３７はその触媒温度が所定値以上になると活性化する。そして、ＮＯｘ吸蔵還元型触媒３７は排気空燃比がリーン空燃比であるときには排気ガス中の硫黄成分を吸蔵し、排気空燃比がストイキ空燃比以上であるときには吸蔵した硫黄成分を放出するようになっている。
【００２２】
上記のように構成されたエンジン１０においては空燃比フィードバック制御が行われるとともに、その運転状態に応じて燃焼形態がストイキ燃焼運転とリーン燃焼運転とに切り替えられるようになっている。ストイキ燃焼運転はストイキ空燃比で混合気を燃焼させるものであり、リーン燃焼運転はストイキ空燃比よりもリーンな空燃比で混合気を燃焼させるものである。こうしたストイキ燃焼運転及びリーン燃焼運転は燃料噴射形態を変更することによる均質燃焼及び成層燃焼によっても実現することができる。こうした成層燃焼は、スロットル弁１７をほぼ全開状態にして燃焼室１１内に多量の燃焼用空気を導入した後、圧縮行程中にインジェクタ１２から燃焼室１１内に直接燃料を噴射供給し、この噴射燃料を点火プラグ１３周りに集めた状態で同点火プラグ１３による混合気への点火を行うことによって実行される。この成層燃焼においては、点火時の点火プラグ１３周りに燃料濃度の高い混合気が存在するため、燃焼室１１内全体の混合気の平均空燃比を大幅にリーン側の値にしても、混合気の良好な着火性を得ることが可能になる。なお、インジェクタ１２からの燃料噴射の形態としては、例えば燃料噴射初期の燃料が点火時の点火プラグ１３周りに達するような形態が採用される。この成層燃焼時の混合気の平均的な空燃比（Ａ／Ｆ）は、ストイキ空燃比（Ａ／Ｆ＝１４．５）よりもリーン（例えばＡ／Ｆ＝２５〜５０）に設定される。
【００２３】
一方、均質燃焼時には、燃料噴射時期は吸気行程中に設定される。従って、燃焼室１１内には、燃料濃度の略均一な混合気の層が形成されて点火が行われるようになる。また、空燃比は理論空燃比と等しくなるように設定される。
【００２４】
これら成層燃焼と均質燃焼との間における燃焼形態の切り替えは、機関負荷及び機関回転速度といったエンジン１０の運転状態に基づいて行われ、例えば低負荷低回転域では燃焼形態が成層燃焼に、高負荷高回転域では燃焼形態が均質燃焼にそれぞれ設定される。
【００２５】
こうした燃焼形態の切り替えは、エンジン１０の各種制御を統括する電子制御装置（以下、「ＥＣＵ」という。）４０によって行われる。このＥＣＵ４０には、こうした各種制御を実行するために、エンジン１０の運転状態等を検出する各種センサが接続されており、これらセンサからの検出信号が適宜取り込まれる。
【００２６】
例えば、ＥＣＵ４０には、アクセルポジションセンサ１９、アイドルスイッチ２０の他に、サージタンク１６内の圧力（吸気圧）の大きさを検出する吸気圧センサ５１、排気中の酸素濃度を検出する空燃比センサ５２の検出信号が入力されている。また、ＥＣＵ４０には、機関回転速度を検出する回転速度センサ５３、エンジン１０の冷却水温度（冷却水温）を検出する水温センサ５４、車両の走行速度を検出する車両速度センサ５５、並びに外気温度を検出する外気温センサ５６の検出信号がそれぞれ入力されている。
【００２７】
これらセンサ等によって検出されるエンジン１０の運転状態や車両の走行状態に基づいて、燃料形態の切替制御やパージガスの流量制御、均質燃焼時における空燃比フィードバック制御といった各種制御がＥＣＵ４０によって実行される。また、ＥＣＵ４０は、こうした各種制御を実行するためのプログラムや演算用マップ、制御の実行に際して算出される各種データ等を記憶するメモリ４１を備えている。
【００２８】
次に、本実施形態の燃焼制御装置により実行される燃焼形態の切替制御について説明する。
この燃焼形態の切替制御では、リーン燃焼運転中において、蒸発燃料処理機構３０によって吸気系にパージされているパージガスの流量を監視している。このパージガスの流量が燃料供給系に発生している蒸発燃料を処理するのに十分ではないときに、ストイキ運転要求がなされた場合には、リーン燃焼運転を禁止して燃焼形態を強制的にストイキ燃焼運転に切り替えるようにしている。
【００２９】
このようにリーン燃焼運転からストイキ燃焼運転への切替が行われると、上述したようにリーン燃焼運転中にＮＯｘ吸蔵還元型触媒３７に吸蔵された硫黄成分がストイキ燃焼運転に切り替えられることによって放出され、この際に硫化水素が生成し、触媒臭が発生する。特にエンジン１０のアイドル運転状態では車両が停止している場合が多く、この触媒臭が問題となる。そこで、本実施形態のＥＣＵ４０は、アイドル運転状態にてストイキ運転要求がなされた場合には、制御中心をストイキ空燃比よりもリーン寄りとした空燃比フィードバック制御を実行する。また、本実施形態のＥＣＵ４０は、ストイキ空燃比よりもリーン寄りとした空燃比フィードバック制御を実行するに際し、燃焼室１１内の燃焼状態が悪化するのを防止するために、燃料噴射時期を圧縮行程に設定する。その結果、点火プラグ１３周りに燃料濃度の高い混合気が存在するため、燃焼室１１内全体の混合気の平均空燃比をリーン側の値にしても、混合気の良好な着火性を得ることが可能となる。
【００３０】
以下、ＥＣＵ４０が実行する燃焼形態の切替制御の詳細について図２〜図３を併せ参照して説明する。
図２は、燃焼形態を切替える際の処理手順を示すフローチャートである。このフローチャートに示される一連の処理は、ＥＣＵ４０により所定時間毎の割込処理として実行される。
【００３１】
この処理に際しては、まず、ステップ１００において、ストイキ運転要求がなされていないかどうかが判定される。このストイキ運転要求は、蒸発燃料処理機構３０の処理能力が要求処理能力を下回っているときになされる以外に、ブレーキの制動力をアシストするブレーキブースタ（図示略）の負圧が低下した際にもなされるようになっている。
【００３２】
ステップ１００でストイキ運転要求がなされていないと判定された場合には、ステップ１１０に進み、ストイキ運転要求がなされていると判定された場合にはステップ１２０に進む。
【００３３】
ステップ１１０では成層運転時の燃料の噴射量、噴射時期が算出され、本処理は一旦終了される。
一方、ステップ１２０ではストイキ運転時の燃料の基本噴射量が算出される。
【００３４】
ステップ１２０に続くステップ１３０では、機関運転状態がアイドル運転状態であり、かつ、ＮＯｘ吸蔵還元型触媒３７の触媒温度が所定温度ＴＣ０以上であるかどうかが判定される。ステップ１３０で肯定判定されるとステップ１４０に進み、否定判定されるとステップ１６０に進む。
【００３５】
ステップ１４０では圧縮行程における噴射時期が算出される。次のステップ１５０において制御中心がストイキ空燃比よりもリーン寄りとなるようなストイキフィードバック（Ｆ／Ｂ）係数ｋａｆが算出される。図３に示すように、このＦ／Ｂ係数の算出において、減少させる側の積分量ＮＩは増加させる側の積分量ＰＩよりも大きな値に設定され、減少させる側のスキップ量ＮＳは増加させる側のスキップ量ＰＳよりも大きな値に設定される。従って、このときの空燃比の制御中心は鎖線で示されるように、破線で示されるストイキ空燃比の制御中心よりもリーン側となる。ステップ１５０の処理が済むと、本処理は一旦終了される。
【００３６】
また、ステップ１６０では吸気行程における噴射時期が算出される。次のステップ１７０において制御中心がストイキ空燃比となるようなストイキＦ／Ｂ係数が算出される。このＦ／Ｂ係数の算出において、減少させる側の積分量及び増加させる側の積分量は等しい値に設定され、減少させる側のスキップ量及び増加させる側のスキップ量も等しい値に設定される。従って、このときの空燃比の制御中心はストイキ空燃比の制御中心となる。ステップ１７０の処理が済むと、本処理は一旦終了される。
【００３７】
以上説明した態様をもって燃焼形態を制御する本実施形態の燃焼制御装置によれば、以下に記載するような作用効果を奏することができるようになる。
（１）エンジン１０のアイドル運転状態において、ＮＯｘ吸蔵還元型触媒３７からの硫黄成分の放出による硫化水素の生成に基づく触媒臭が問題となる。本実施形態ではエンジン１０のアイドル運転状態であってリーン燃焼運転中にストイキ運転要求がなされると、制御中心をストイキ空燃比よりもリーン寄りとした空燃比フィードバック制御が行われる。そのため、ストイキ運転要求を満たしながら、ＮＯｘ吸蔵還元型触媒３７に吸蔵された硫黄成分の放出を抑えて硫化水素の生成を抑制することができ、触媒臭の発生を抑制することができる。
【００３８】
（２）ＥＣＵ４０は制御中心をストイキ空燃比よりもリーン寄りとした空燃比フィードバック制御を実行するに際し、燃料噴射時期を圧縮行程に設定するようにしている。筒内噴射式内燃機関であるエンジン１０において燃料噴射時期を圧縮行程に設定することにより点火プラグ１３周りの空燃比を濃くすることができ、燃焼状態の悪化を抑制することができる。
【００３９】
（３）ＥＣＵ４０はＮＯｘ吸蔵還元型触媒３７の触媒温度が所定値以上のとき、制御中心をストイキ空燃比よりもリーン寄りとした空燃比フィードバック制御を実行するようにしている。触媒温度が高いときＮＯｘ吸蔵還元型触媒３７に吸蔵された硫黄成分の放出量が多くなるが、このときには制御中心をストイキ空燃比よりもリーン寄りとした空燃比フィードバック制御が行われる。そのため、ストイキ運転要求を満たしながら、ＮＯｘ吸蔵還元型触媒３７に吸蔵された硫黄成分の放出を抑えて硫化水素の生成を抑制することができ、触媒臭の発生を抑制することができる。
【００４０】
なお、実施形態は以下のようにその構成や制御態様を変更することもできる。
・  上記実施形態においてリーン燃焼運転中にストイキ運転要求がなされた場合のＦ／Ｂ係数ｋａｆを図４に示すようにして算出するようにしてもよい。すなわち、Ｆ／Ｂ係数ｋａｆの減少側の積分量ＮＩを増加側の積分量ＰＩよりも大きな値に設定するとともに、減少側のスキップ量ＮＳを増加側のスキップ量ＰＳよりも大きな値に設定し、Ｆ／Ｂ係数ｋａｆをリーン側において所定時間Ｔ０だけ保持するようにする。このようにすれば、空燃比の制御中心は鎖線で示されるように、破線で示されるストイキ空燃比の制御中心よりも確実にリーン側となり、硫化水素の発生を確実に抑制することができる。
【００４１】
・  上記実施形態においてリーン燃焼運転中にストイキ運転要求がなされた場合のＦ／Ｂ係数ｋａｆを、減少側の積分量ＮＩ及びスキップ量ＮＳのいずれか一方を、増加側の積分量ＰＩ及びスキップ量ＰＳのいずれか一方よりも大きな値に設定することにより算出するようにしてもよい。
【００４２】
・  上記実施形態において、三元触媒３６の上流に空燃比を直接検出する空燃比センサ６０を設け、リーン燃焼運転からストイキ燃焼運転への切替時において空燃比センサ６０の検出信号をリーン側となるように空燃比を制御するようにしてもよい。
【００４３】
・  上記実施形態では、成層燃焼として燃料噴射時期を圧縮行程後期に設定する燃焼（強成層燃焼）のみを行うエンジンを想定していた。こうした強成層燃焼の他、例えば燃料を吸気行程と圧縮行程とに分割して噴射することにより、成層強度を弱めた燃焼（弱成層燃焼）を行うエンジンに対して本発明にかかる燃焼制御装置を適用することもできる。また、均質燃焼として、空燃比を理論空燃比に設定した燃焼（均質ストイキ燃焼）の他、空燃比を理論空燃比よりもリーン側に設定した燃焼（均質リーン燃焼）を行うエンジンに対して本発明にかかる燃焼制御装置を適用するようにしてもよい。
【００４４】
次に、上記実施形態から把握できる他の技術的思想を、以下に記載する。
・  請求項１〜３のいずれかに記載の内燃機関の燃焼制御装置において、前記制御中心をストイキ空燃比よりもリーン寄りとした空燃比フィードバック制御を実行するためのフィードバック係数における減少側の積分量は増加側の積分量よりも大きな値に設定されていることを特徴とする内燃機関の燃焼制御装置。
【００４５】
・  請求項１〜３のいずれかに記載の内燃機関の燃焼制御装置において、前記制御中心をストイキ空燃比よりもリーン寄りとした空燃比フィードバック制御を実行するためのフィードバック係数における減少側のスキップ量は増加側のスキップ量よりも大きな値に設定されていることを特徴とする内燃機関の燃焼制御装置。
【図面の簡単な説明】
【図１】一実施形態にかかる燃焼制御装置及び同装置が適用されるエンジンの概略構成図。
【図２】燃焼形態の切替制御の処理手順を示すフローチャート。
【図３】リーン燃焼からストイキ燃焼運転への切替時のストイキＦ／Ｂ係数と空燃比との関係を示す説明図。
【図４】別例におけるリーン燃焼からストイキ燃焼運転への切替時のストイキＦ／Ｂ係数と空燃比との関係を示す説明図。
【符号の説明】
１０…エンジン、１１…燃焼室、１２…インジェクタ、１３…点火プラグ、１４…吸気管、１５…排気管、１６…サージタンク、１７…スロットル弁、１９…アクセルポジションセンサ、２０…アイドルスイッチ、２１…燃料タンク、２２…低圧ポンプ、２３…燃料供給通路、２４…高圧ポンプ、２５…デリバリパイプ、２６…燃料リターン通路、３０…蒸発燃料処理機構、３１…キャニスタ、３２…ベーパ通路、３３…パージ通路、３４…大気導入通路、３５…パージ制御弁、４０…電子制御装置（ＥＣＵ）。
【図１】
0004622192.tif 000002
【図２】
0004622192.tif 000003
【図３】
0004622192.tif 000004
【図４】
0004622192.tif 000005